【事件の表示】
　平成　５年特許願第３２４７０５号「ヘッド浮上量制御装置」拒絶査定に対する審判事件［平成　６年　８月２３日出願公開、特開平　６−２３６６４１］について、次のとおり審決する。
【結　論】
　本件審判の請求は、成り立たない。
【理　由】
１、手続の経緯、本願発明の認定
　本願は、平成５年１２月２２日の出願（優先権１９９２年１２月３１日　米国）であって、その発明は、補正された明細書及び図面の記載によれば特許請求の範囲に記載された請求項１〜１８のとおりのところ、そのうちの請求項１で特定される発明は
「空気力学的に記録ディスク面上を浮上する読み書きヘッドと、前記読み書きヘッドを記録ディスク面上の記録トラックから記録トラックへ移動させるアクチュエータ・アームとを有するディスク・ドライブにおいて、前記ヘッドがデータ・トラックに沿って浮上し前記データ・トラックに記録された信号を読み取る間に前記ディスク面上の各ヘッドの浮上量を動的に制御する装置であって、
　ヘッドを前記ディスク面上に可撓的に懸架し、前記ヘッドの空力揚力に抗してバネ力によってヘッドをディスク表面の方へ押圧する、前記アーム及び前記ヘッドの間に接続されたサスペンション手段を含み、
　前記へッドはデータ・トラックに記録された信号を読み取って、読取り信号を提供し、
　さらに、前記読取り信号からディスク面上のヘッドの現在の浮上量を、前記ヘッドが記録信号を読み取っているのと同時かつ同位置で検出する手段と、
　前記ヘッドの現在の浮上量を基準浮上量と比較し、現在の浮上量と基準浮上量の差を示す浮上量誤差信号を発生する比較手段と、
　前記浮上量誤差信号に応答して、前記サスペンション手段により提供された前記バネ力を制御し、前記ヘッドが記録信号を読み取りトラックに沿って浮上しているのと同時かつ同位置で、前記ヘッドの浮上量を基準浮上量に補正する制御手段と、
　を含むヘッド浮上量制御装置。」（以下「本願発明」という）であると認める。
　
２、刊行物発明
　これに対して、原審が拒絶の理由に引用した特開昭６３ー１８７４７７号公報（以下「刊行物」という）には、第１〜３図とその詳細な説明に関連して以下の記載がある。
（１）第１頁左下欄特許請求の範囲
「磁気記録媒体に対する所定の位置に磁気ヘッドを設定するためのヘッド支持機構と、前記磁気記録媒体からデータを再生する際に前記磁気ヘッドから出力される出力電圧に基づいて前記磁気記録媒体に対する前記磁気ヘッドの浮上量を検出する浮上量検出手段と、前記ヘッド支持機構の所定の位置に設けられて駆動電圧に応じた伸長又は収縮動作により前記磁気ヘッドの浮上量を調整するための圧電部材と、前記浮上量検出手段により検出された浮上量に基づいて決定される駆動電圧を前記圧電部材に供給し前記磁気ヘッドの浮上量を適正な前記磁気ヘッドの出力電圧に対応する適正値に設定させるために前記圧電部材の駆動制御を行なう圧電制御手段とを具備したことを特徴とする磁気ヘッド制御装置。」
（２）第１頁右下欄第１６〜１９行
「したがって、磁気ヘッドの浮上量の精度は、コアスライダの製造精度及び加重を発生させるためのヘッド支持機構におけるサスペンションのばね構成の安定性に依存している」
（３）第２頁左下欄第５〜１０行
「磁気ヘッド１０は、第２図及び第３図に示すように、サスペンションを構成するヘッドアーム（加重アーム）２０の先端部にジンバル２１を介して取付けられたコアスライダ２２からなる。コアスライダ２２はリード／ライトコイル及びリード／ライトギャップを有する。」
（４）第２頁右下欄第８〜１４行
「圧電フィルム１４は、例えばポリフッ化エチレンからなるフィルム上の圧電素子であり、印加される駆動電圧の変化に応じて伸張又は収縮する特性を有する。圧電フィルム１４は、第２図及び第３図に示すように、ヘッドアーム２０の折曲げ部、即ちヘッドアーム２０をキャリッジに固定するための固定部２４との接続部に取り付けられている。」
（５）第２頁左下欄第１１行〜右下欄第７行
「浮上量検出回路１２は、増幅器１１から出力される出力電圧信号に基づいて、ディスク（第２図の２３）に対する磁気ヘッド１０の浮上量を検出する回路である。浮上量検出回路１２は、具体的には例えば増幅器１１からの出力電圧信号を平均化する回路及び平均化した出力信号レベルに応じて決定される浮上量に対する検出信号（又はデータ）を出力する回路を備えている。圧電制御回路１３は、浮上量検出回路１２から出力される検出信号に基づいて、磁気ヘッド１０の浮上量を適正値に設定するための駆動電圧を圧電フィルム１４へ出力する。圧電制御回路１３は、具体的には例えば検出信号に基づいて決定される浮上量と適正な浮上量との誤差を算出する回路、その誤差を修正するための駆動電圧データを格納したテーブル及びテーブルから読み出された駆動電圧データをアナログ電圧信号に変換するＡ／Ｄ変換回路を備えている。」
（６）第３頁左上欄第１６〜１８行
　「圧電フィルム１４は、例えば駆動電圧レベルの増大（又は低下）に応じて伸張（又は収縮）する特性を有する。」
　これら記載の（１）・（３）〜（６）から、第１刊行物には
　
  磁気記録媒体に対する所定の位置に磁気ヘッドを設定するためのサスペンションを構成するヘッド支持機構と、
　該ヘッド支持機構に取り付けられた磁気ヘッドと、
　前記磁気記録媒体からデータを再生する際に前記磁気ヘッドから出力される出力電圧に基づいて前記磁気記録媒体に対する前記磁気ヘッドの浮上量を検出する浮上量検出手段と、
　前記ヘッド支持機構の所定の位置に設けられて駆動電圧に応じた伸長又は収縮動作により前記磁気ヘッドの浮上量を調整するための圧電部材と、
　前記浮上量検出手段により検出された浮上量と適正な浮上量との誤差を算出し、前記磁気ヘッドの浮上量を適正値に設定させるために該誤差に応じた駆動電圧を前記圧電部材に供給して前記圧電部材の駆動制御を行なう圧電制御手段と、
　を具備する磁気ヘッド制御装置（以下、刊行物記載発明という）
　
の発明が記載されているものと認める。
　　
３、対　比
　以下に、刊行物記載発明と本願発明とを対比する。
　刊行物記載発明の
（イ）「磁気記録媒体に対する所定の位置に磁気ヘッドを設定するためのサスペンションを構成するヘッド支持機構と、該ヘッド支持機構に取り付けられた磁気ヘッド」・（ロ）「前記磁気記録媒体からデータを再生する際に前記磁気ヘッドから出力される出力電圧に基づいて前記磁気記録媒体に対する前記磁気ヘッドの浮上量を検出する浮上量検出手段」・（ハ）「前記浮上量検出手段により検出された浮上量と適正な浮上量との誤差を算出」・（ニ）「前記ヘッド支持機構の所定の位置に設けられて駆動電圧に応じた伸長又は収縮動作により前記磁気ヘッドの浮上量を調整するための圧電部材」および「前記磁気ヘッドの浮上量を適正値に設定させるために該誤差に応じた駆動電圧を前記圧電部材に供給して前記圧電部材の駆動制御を行なう圧電制御手段」・（ホ）「磁気ヘッド制御装置」と、本願発明の（イ）「空気力学的に記録ディスク面上を浮上する読み書きヘッドと、前記読み書きヘッドを記録ディスク面上の記録トラックから記録トラックへ移動させるアクチュエータ・アーム」・（ロ）「前記へッドはデータ・トラックに記録された信号を読み取って、読取り信号を提供し、さらに、前記読取り信号からディスク面上のヘッドの現在の浮上量を、前記ヘッドが記録信号を読み取っているのと同時かつ同位置で検出する手段」・（ハ）「前記ヘッドの現在の浮上量を基準浮上量と比較し、現在の浮上量と基準浮上量の差を示す浮上量誤差信号を発生する比較手段」・（ニ）「前記浮上量誤差信号に応答」して、「前記ヘッドが記録信号を読み取りトラックに沿って浮上しているのと同時かつ同位置で、前記ヘッドの浮上量を基準浮上量に補正する制御手段」・（ホ）「前記ヘッドがデータ・トラックに沿って浮上し前記データ・トラックに記録された信号を読み取る間に前記ディスク面上の各ヘッドの浮上量を動的に制御する装置」もしくは「空気力学的に記録ディスク面上を浮上する読み書きヘッドと、前記読み書きヘッドを記録ディスク面上の記録トラックから記録トラックへ移動させるアクチュエータ・アームとを有するディスク・ドライブにおいて、前記ヘッドがデータ・トラックに沿って浮上し前記データ・トラックに記録された信号を読み取る間に前記ディスク面上の各ヘッドの浮上量を動的に制御する装置」さらには「ヘッド浮上量制御装置。」の構成は、それぞれ対応するものと認められるので、
　刊行物発明と本願発明とでは、共に、
　
　「空気力学的に記録ディスク面上を浮上する読み書きヘッドと、前記読み書きヘッドを記録ディスク面上の記録トラックから記録トラックへ移動させるアクチュエータ・アームとを有するディスク・ドライブにおいて、前記ヘッドがデータ・トラックに沿って浮上し前記データ・トラックに記録された信号を読み取る間に前記ディスク面上の各ヘッドの浮上量を動的に制御する装置」であって、
　「ヘッドを前記ディスク面上」に「懸架」する、「前記アーム及び前記ヘッドの間に接続されたサスペンション手段を含み、
　前記へッドはデータ・トラックに記録された信号を読み取って、読取り信号を提供し、
　さらに、前記読取り信号からディスク面上のヘッドの現在の浮上量を、前記ヘッドが記録信号を読み取っているのと同時かつ同位置で検出する手段と、
　前記ヘッドの現在の浮上量を基準浮上量と比較し、現在の浮上量と基準浮上量の差を示す浮上量誤差信号を発生する比較手段と、
　前記浮上量誤差信号に応答」して、「前記ヘッドが記録信号を読み取りトラックに沿って浮上しているのと同時かつ同位置で、前記ヘッドの浮上量を基準浮上量に補正する制御手段と、
　を含むヘッド浮上量制御装置」
　
では同じであるものの、
　該サスペンション手段の構成が、刊行物記載発明では「サスペンションを構成するヘッド支持機構」とあるのみで具体的な構成の記載がないのに対して、本願発明は「前記ヘッドの空力揚力に抗してバネ力によってヘッドをディスク表面の方へ押圧」する「可撓的」なものであり、且つ、この構成により「前記サスペンション手段により提供された前記バネ力を制御」する点（以下、相違点という）
で相違するものと認める。
　
４、相違点に対する当審の判断
　上記「２、刊行物発明」の認定の（２）で摘示した「第１頁右下欄第１８〜１９行」の「したって、磁気ヘッドの浮上量の精度は、コアスライダの製造精度及び加重を発生させるためのヘッド支持機構におけるサスペンションのばね構成の安定性に依存している」の記載からも明らかなように、磁気記録媒体の読み書きヘッドを支持するサスペンションに可撓的性質を持たせるためにバネ構成とすることは、周知・慣用であるから、刊行物記載の圧電素子を貼り付けるサスペンションとしてバネを採用することに技術的困難性があるとすることはできない。（この点は、原審が査定文中で周知文献として提示した特開平４−８５７７２号公報第４頁右下欄第１５〜１８行にも「以上の実施例では、サスペンション３そのものをバイモルフで構成したが、薄くて軽い弾性体を有する金属板の上にバイモルフを貼り合わせてもよく」と記載されているところであるので、参照されたい。）
　なお、審判請求理由第４頁で刊行物記載の「ほぼ直線的」という記載を指摘して、刊行物発明と本願発明とは技術的に相違すると主張をしているが、本願発明として認定した請求項１の発明にはシリンダ番号およびシリンダ番号毎にヘッドとディスクとの高度差が放物線のような変化を示すことの対策に対する構成の記載はなく、単にヘッドと媒体間の現在の高度と基準高度との誤差をなくすように制御をすることの構成のみであって、この主張に対応する本願発明の構成上の特徴を請求項１の発明に見いだすことはできない。したがって、審判請求理由についての主張を採用することはできない。
　
５、むすび
　したがって、本願発明は、原審で示した刊行物に記載された発明に基づいて当業者が容易に発明をすることができたものと認められるので、特許法第２９条第２項の規定により特許をすることができない。　 
　よって結論のとおり審決する。